【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
熱可塑性ポリマーを含む溶融物の流動性を改良する方法であって、
溶融加工の前又は間に、前記熱可塑性ポリマー内に、固体状態において針様形態を持つ、有機化合物又は無機化合物からなる群から選択された一種又はそれより多くの添加剤を、該熱可塑性ポリマーの質量に対して、０．００５質量％ないし０．５質量％配合することからなる方法。
【請求項２】
前記添加剤が、固体状態において針様形態を持つ有機化合物である、請求項１記載の方法。
【請求項３】
純粋な添加剤の、固体状態における前記針様形態が、３を越える平均長さ／直径比を示す円柱状構造である、請求項１記載の方法。
【請求項４】
前記添加剤が、前記熱可塑性ポリマーの融点より少なくとも３０℃高い融点を有する、請求項１記載の方法。
【請求項５】
前記添加剤が、前記熱可塑性ポリマーの結晶化ピーク温度Ｔc を少なくとも１℃上昇させる、請求項１記載の方法。
【請求項６】
前記添加剤が、水素結合により長期の極性−極性相互作用に耐えることが可能な極性部分を含む有機化合物である、請求項１記載の方法。
【請求項７】
前記添加剤が、極性部分を含み、そして外部分子球上の非極性疎水性基を遮蔽する有機化合物である、請求項１記載の方法。
【請求項８】
前記添加剤が、一つ又はそれより多くの−ＯＨ基又は＞ＮＨ基を含む有機化合物である、請求項１記載の方法。
【請求項９】
前記添加剤が、次式（ＩＡ）、（ＩＢ）、（ＩＣ）又は（ＩＤ）：
【化１】
2009510201.tif 000001
［式中、
ｘ及びｙは整数２ないし６を表わし、
ｚ’及びｚ”は互いに独立して、整数１ないし５を表わすが、但し、ｚ’及びｚ”の合計は整数２ないし６であり、
ｐは０又は１を表わし、
ｍ及びｎは互いに独立して整数０ないし３を表わし、
Ｘ0 は、
３個ないし２５個の炭素原子を有する飽和又は不飽和脂肪族ポリカルボン酸のｘ個のカルボニル基を除去することにより形成される残基、
７個ないし２５個の炭素原子を有する飽和又は不飽和脂環式ポリカルボン酸のｘ個のカルボニル基を除去することにより形成される残基、或いは
８個ないし２５個の炭素原子を有する芳香族ポリカルボン酸のｘ個のカルボニル基を除去することにより形成される残基を表わし、
前記ポリカルボン酸の何れも所望により、その骨核中に更なるヘテロ原子を含み、
基Ｘ1 は互いに独立して、
非置換の又は、一つ又はそれより多くのヒドロキシ基、アミノ基及び／又はニトロ基により置換された炭素原子数１ないし２０のアルキル基、
非置換の又は、一つ又はそれより多くのヒドロキシ基、アミノ基及び／又はニトロ基に
より置換された炭素原子数２ないし２０のアルケニル基、
酸素原子又は硫黄原子により中断された炭素原子数２ないし２０のアルキル基、
非置換の又は、一つ又はそれより多くの炭素原子数１ないし２０のアルキル基により置換された炭素原子数３ないし１２のシクロアルキル基、
非置換の又は、一つ又はそれより多くの炭素原子数１ないし２０のアルキル基により置換された（炭素原子数３ないし１２のシクロアルキル）−炭素原子数１ないし１０のアルキル基、
非置換の又は、一つ又はそれより多くの炭素原子数１ないし２０のアルキル基により置換されたビス［炭素原子数３ないし１２のシクロアルキル］−炭素原子数１ないし１０のアルキル基、
非置換の又は、一つ又はそれより多くの炭素原子数１ないし２０のアルキル基により置換された、５個ないし２０個の炭素原子を持つ二環式又は三環式炭化水素基、
非置換の又は、炭素原子数１ないし２０のアルキル基、炭素原子数１ないし２０のアルコキシ基、炭素原子数１ないし２０のアルキルアミノ基、ジ（炭素原子数１ないし２０のアルキル）アミノ基、アミノ基、ヒドロキシ基及びニトロ基から選択された基一つ又はそれより多くにより置換されたフェニル基、
非置換の又は、炭素原子数１ないし２０のアルキル基、炭素原子数３ないし１２のシクロアルキル基、フェニル基、炭素原子数１ないし２０のアルコキシ基、アミノ基、ヒドロキシ基及びニトロ基から選択された基一つ又はそれより多くにより置換されたフェニル−炭素原子数１ないし２０のアルキル基、
非置換の又は、一つ又はそれより多くの炭素原子数１ないし２０のアルキル基により置換されたフェニルエテニル基、
非置換の又は、一つ又はそれより多くの炭素原子数１ないし２０のアルキル基により置換されたビフェニル−（炭素原子数１ないし１０のアルキル）基、
非置換の又は、一つ又はそれより多くの炭素原子数１ないし２０のアルキル基により置換されたナフチル基、
非置換の又は、一つ又はそれより多くの炭素原子数１ないし２０のアルキル基により置換されたナフチル−炭素原子数１ないし２０のアルキル基、
非置換の又は、一つ又はそれより多くの炭素原子数１ないし２０のアルキル基により置換されたナフトキシメチル基、
ビフェニレニル基、フロウレニル基、アントリル基、
非置換の又は、一つ又はそれより多くの炭素原子数１ないし２０のアルキル基により置換された５−又は６−員ヘテロ環式基、
一つ又はそれより多くのハロゲン原子又は疑似ハロゲン原子を含む炭素原子数１ないし２０の炭化水素基、
トリ（炭素原子数１ないし１０のアルキル）シリル基、或いは
トリ（炭素原子数１ないし１０のアルキル）シリル（炭素原子数１ないし１０のアルキル）基を表わし、
Ｙ0 は、
３個ないし２５個の炭素原子を有する飽和又は不飽和脂肪族ポリアミンのｙ個のアミノ基を除去することにより形成される残基、
６個ないし２５個の炭素原子を有する飽和又は不飽和脂環式ポリアミンのｙ個のアミノ基を除去することにより形成される残基、
６個ないし２５個の炭素原子を有する芳香族ポリアミンのｙ個のアミノ基を除去することにより形成される残基を表わし、
前記ポリアミンの何れも所望により、その骨核中に更なるヘテロ原子を含み、
基Ｙ1 は互いに独立して、Ｘ1 の定義の一つを有し、
Ｚ0 は、
２個ないし２５個の炭素原子を有する飽和又は不飽和脂肪族アミノカルボン酸のｚ’個のアミノ基及びｚ”個のカルボキシル基を除去することにより形成される残基、
７個ないし２５個の炭素原子を有する飽和又は不飽和脂環式アミノカルボン酸のｚ’個のアミノ基及びｚ”個のカルボキシル基を除去することにより形成される残基、或いは
７個ないし２５個の炭素原子を有する芳香族アミノカルボン酸のｚ’個のアミノ基及びｚ”個のカルボキシル基を除去することにより形成される残基を表わし、
前記アミノカルボン酸の何れも所望により、その骨核中に更なるヘテロ原子を含み、
基Ｚ1 及び基Ｚ2 は互いに独立して、Ｘ1 のために与えられた定義の一つを有し、そして
基Ｒは互いに独立して、炭素原子数１ないし８のアルキル基、炭素原子数１ないし８のアルコキシ基、ヒドロキシ基、ハロゲン原子、疑似ハロゲン原子、炭素原子数１ないし８のアルキルチオ基、炭素原子数１ないし８のアルキルスルホキシ基を表わすか、又は、２個の基Ｒが不飽和親環の２個の隣接する炭素原子と一緒になって、５−ないし７−員炭素環式又はヘテロ環式環を形成する。］で表わされる化合物である、請求項１記載の方法。
【請求項１０】
前記添加剤が、式（ＩＣ）［式中、
ｚ’及びｚ”は互いに独立して、１又は２を表わし、そして
ｚ’とｚ”との合計が２を表わす場合、Ｚ0 は次式：
【化２】
2009510201.tif 000002
で表わされる基を表わし、そして
ｚ’とｚ”との合計が３を表わす場合、Ｚ0 は次式：
【化３】
2009510201.tif 000003
で表わされる基を表わし、そして
基Ｚ1 及びＺ2 は互いに独立して、１，１−ジメチルエチル基、１−メチルプロピル基、２−メチルプロピル基、１，１−ジメチルプロピル基、１，２−ジメチルプロピル基、２，２−ジメチルプロピル基、１−エチルプロピル基、１−メチルブチル基、２−メチルブチル基、３−メチルブチル基、１，１，３，３−テトラメチルブチル基、シクロヘキシル基、２−メチルシクロヘキシル基、３−メチルシクロヘキシル基又は２，３−ジメチルシクロヘキシル基を表わす。］で表わされる化合物である、請求項９記載の方法。
【請求項１１】
前記添加剤が、
１，３：２，４−ジ（ベンジリデン）ソルビトール、
１，３：２，４−ジ（４−エチルベンジリデン）ソルビトール、
１，３：２，４−ジ（４−メチルベンジリデン）ソルビトール、
１，３：２，４−ジ（３−メチルベンジリデン）ソルビトール、又は
１，３：２，４−ジ（３，４−ジメチルベンジリデン）ソルビトールである、請求項９記載の方法。
【請求項１２】
薄肉異形材、注型品又はブローフィルム、シート、ワイヤー又はケーブルを製造するための熱可塑性ポリマーを含む溶融物を押し出す目的のために適用される、請求項１記載の方法。
【請求項１３】
熱可塑性ポリマーを含む溶融物を加工する間のメルトフラクチャーを阻止する目的のために適用される、請求項１記載の方法。
【請求項１４】
薄肉異形材、注型品又はブローフィルム、シート、ワイヤー又はケーブルを製造するために熱可塑性ポリマーを含む溶融物を加工する間のメルトフラクチャーを阻止する目的のために適用される、請求項１記載の方法。